(57)【要約】【課題】接続対象物に対し、当該接続対象物の挿入方向に沿って異なる複数の接点を有していても、各接点において、接続対象物に対する接触圧を維持することができるコネクタを得る。【解決手段】固定部１８を間に置いて、基部１６の前部１６Ｂにはフロント接触子２８が設けられ、基部１６の後部１６Ｄにはリア接触子３０が設けられている。これにより、フロント接触子２８とリア接触子３０とは固定部１８を介して分断され、フロント接触子２８の弾性変形の影響を受けてリア接触子３０が弾性変形することを抑制し、また、リア接触子３０の弾性変形の影響を受けてフロント接触子２８が弾性変形することを抑制することができる。その結果、フロント接触子２８、リア接触子３０は、接続ピンに接触した状態で接続ピンに対してそれぞれ所望の接触圧を維持することができる。【選択図】図６
2018181615.tif 000002
【特許請求の範囲】
【請求項１】
ハウジングと、前記ハウジングに形成された収容部内に固定され、前記ハウジングに形成された開口部を通じて導電性の材料で構成された接続対象物が挿入又は抜去されると共に導電性の材料で構成された端子と、を備え、
前記端子は、
前記収容部に固定される固定部が形成された基部と、
前記基部において前記開口部側を前部とし、前記基部において前記固定部よりも前方側から延出され、前記接続対象物に対して弾性的に接触する第１接触子と、
前記基部において前記固定部よりも後方側から延出され、前記接続対象物に対して弾性的に接触する第２接触子と、
を含んで構成されているコネクタ。
【請求項２】
前記第１接触子の自由端側に形成された第１自由端部と前記第２接触子の自由端側に形成された第２自由端部は、前記接続対象物の挿入方向に沿って前後に配置され、前記接続対象物の表面にそれぞれ接触可能とされる請求項１に記載のコネクタ。
【請求項３】
前記第１接触子は前記固定部の前方側から延出されたフロント接触子であると共に、前記第１自由端部は前記フロント接触子の自由端側に形成されたフロント接触部であり、
前記第２接触子は前記固定部の後方側から延出されたリア接触子であると共に、前記第２自由端部は前記リア接触子の自由端側に形成され、かつ前記フロント接触部よりも前記基部側に配置されたリア接触部である請求項２に記載のコネクタ。
【請求項４】
前記フロント接触部は、前記開口部内へ前記接続対象物が挿入される挿入方向に対して直交する前記基部の幅方向の一端から延出されると共に、前記リア接触子は、前記基部の幅方向の他端から延出されている請求項３に記載のコネクタ。
【請求項５】
前記リア接触子の根元側に形成され、前記基部の幅方向の他端から前記基部に対して直交して延出されたリア連結部と、
前記リア接触子において、前記リア連結部と直交し、かつ前記基部と対向して配置されたリア支持部と、
前記フロント接触子の根元側に形成され、前記基部の幅方向の一端から前記基部に対して直交して延出され、かつ側面視で前記リア連結部の前端部と重なるフロント連結部と、
前記フロント接触子において、前記フロント連結部と直交し、かつ前記リア支持部と対向して配置されたフロント支持部と、
を有する請求項４に記載のコネクタ。
【請求項６】
前記基部の前端から前記開口部側へ向かって延出され、前記フロント接触部及び前記リア接触部と共に前記接続対象物を挟持する伸長部が設けられている請求項３〜請求項５の何れか１項に記載のコネクタ。
【請求項７】
前記伸長部における前記フロント接触部が対向する第１対向部位から前記リア接触部が対向する第２対向部位に亘って平坦部が形成されている請求項６に記載のコネクタ。
【発明の詳細な説明】
【技術分野】
【０００１】
本発明は、コネクタに関する。
【背景技術】
【０００２】
例えば特許文献１には、絶縁性のハウジングに固定され、雄コンタクト（接続対象物）の挿入により導通接続される雌コンタクト（端子）に関する技術が開示されている。この先行技術では、雌コンタクトは、基板に接続される端子部と、端子部と一体に形成されてハウジングに固定され当該雄コンタクトの挿入方向に対して直交する方向に沿って切断された断面形状がＵ字状を成す固定部（基部）と、固定部において互いに対向する壁部の端部から延出され当該雄コンタクトを挟持する一対のばね部と、を備えている。
【０００３】
上記ばね部は、互いに長さの異なる一対の長接点ばね部と一対の短接点ばね部とで構成されている。このため、雌コンタクトに雄コンタクトを挿入させる際、まず、一対の長接点ばね部が互いに離間する方向へ弾性変形して当該一対の長接点ばね部間に雄コンタクトが挿入され、次に、一対の短接点ばね部が互いに離間する方向へ弾性変形して当該一対の短接点ばね部間に雄コンタクトが挿入されるようになっている。
【０００４】
そして、長接点ばね部及び短接点ばね部が雄コンタクトの表面に接触されるように設定されている。これにより、このようなばね部を備えたコネクタでは、長接点ばね部及び短接点ばね部のうち何れか一方が導通不良となっても、他方が雄コンタクトと接触されている限り、雄コンタクトと導通接続された状態が維持されることとなる。
【先行技術文献】
【特許文献】
【０００５】
【特許文献１】特開平３−７７２８５号公報
【発明の概要】
【発明が解決しようとする課題】
【０００６】
しかしながら、上記先行技術では、長接点ばね部及び短接点ばね部が、それぞれ雌コンタクトの固定部の一部である壁部に形成されている。そして、この固定部は、断面形状がＵ字状を成しているため、長接点ばね部及び短接点ばね部を介して弾性変形が生じやすくなっている。
【０００７】
つまり、長接点ばね部及び短接点ばね部の弾性変形により、略Ｕ字状に屈曲形成された固定部は、断面が開く方向に変形しやすくなっている。このため、例えば、長接点ばね部が雄コンタクトに対して適切な接触圧で接触していたとしても、その後に接触する短接点ばね部が弾性変形したとき、その影響を受けて固定部が変形する可能性がある。
【０００８】
仮に、固定部が変形すると、固定部の変形に伴って長接点ばね部が雄コンタクトから離間する方向に変位し、長接点ばね部が雄コンタクトの表面に接触する接触圧が低下して十分な接触圧を得られない場合がある。
【０００９】
本発明は上記事実を考慮し、接続対象物に対し、当該接続対象物の挿入方向に沿って異なる複数の接点を有していても、各接点において、接続対象物に対する接触圧を維持することができるコネクタを得ることを目的とする。
【課題を解決するための手段】
【００１０】
請求項１に記載の本発明に係るコネクタは、ハウジングと、前記ハウジングに形成された収容部内に固定され、前記ハウジングに形成された開口部を通じて導電性の材料で構成された接続対象物が挿入又は抜去されると共に導電性の材料で構成された端子と、を備え、前記端子は、前記収容部に固定される固定部が形成された基部と、前記基部において前記開口部側を前部とし、前記基部において前記固定部よりも前方側から延出され、前記接続対象物に対して弾性的に接触する第１接触子と、前記基部において前記固定部よりも後方側から延出され、前記接続対象物に対して弾性的に接触する第２接触子と、を含んで構成されている。
【００１１】
請求項１に記載の本発明に係るコネクタでは、ハウジングに形成された収容部内に、導電性の材料で構成された端子が固定されている。この端子には、ハウジングに形成された開口部を通じて導電性の材料で構成された接続対象物が挿入又は抜去されるようになっている。
【００１２】
一方、端子は、基部と第１接触子と第２接触子とを含んで構成されている。基部には、ハウジングに固定される固定部が形成されており、基部において、ハウジングの開口部側を前部として、固定部よりも前方側からは第１接触子が延出されている。そして、この第１接触子は、接続対象物に対して弾性的に接触するようになっている。また、基部において、固定部よりも後方側からは第２接触子が延出されており、当該第２接触子は、接続対象物に対して弾性的に接触するようになっている。
【００１３】
すなわち、本発明では、端子の一部を構成する基部に、第１接触子及び第２接触子が形成されると共に、第１接触子及び第２接触子が接続対象物に対して弾性的に接触するようにしており、接続対象物の挿入方向に沿って異なる複数の接点を有している。
【００１４】
また、第１接触子は、基部の固定部よりも前方側から延出され、第２接触子は、基部の固定部よりも後方側から延出されるように設定されている。ここで、基部の固定部は、ハウジングに固定されているため、第１接触子及び第２接触子は、基部に対してそれぞれ独立した状態で延出されている。これにより、第１接触子と第２接触子とは固定部を介して分断され、第１接触子が弾性変形しても、この第１接触子の変形が第２接触子に及ばないようにすることができる。
【００１５】
つまり、第１接触子、第２接触子を変形させる応力の伝達が固定部によって遮断され、第１接触子、第２接触子はそれぞれ独立した状態で弾性変形する。したがって、第１接触子の弾性変形の影響を受けて第２接触子が弾性変形することを抑制し、第２接触子の弾性変形の影響を受けて第１接触子が弾性変形することを抑制することができる。その結果、第１接触子、第２接触子は、接続対象物に接触した状態で接続対象物に対してそれぞれ所望の接触圧を維持することができ、コネクタと接続対象物との間で安定した導通接続を行うことができる。
【００１６】
請求項２に記載の本発明に係るコネクタは、請求項１に記載の本発明に係るコネクタにおいて、前記第１接触子の自由端側に形成された第１自由端部と前記第２接触子の自由端側に形成された第２自由端部は、前記接続対象物の挿入方向に沿って前後に配置され、前記接続対象物の表面にそれぞれ接触可能とされる。
【００１７】
請求項２に記載の本発明に係るコネクタでは、第１接触子の自由端側に形成された第１自由端部と第２接触子の自由端側に形成された第２自由端部が、接続対象物の挿入方向に沿って前後に配置されている。このため、例えば、第１接触子の第１自由端部が第２接触子の第２自由端部よりもハウジングの開口部側に配置されている場合、接続対象物をハウジングの開口部内へ挿入させると、接続対象物は、まず、第１接触子の第１自由端部に接触する。そして、次に、接続対象物は、第２接触子の第２自由端部に接触する。
【００１８】
本発明では、接続対象物に対して第１接触子の第１自由端部及び第２接触子の第２自由端部が弾性的に接触するようになっているため、ハウジング内に接続対象物が挿入されると、接続対象物の表面は、少なくとも第１接触子の第１自由端部及び第２接触子の第２自由端部によって摺動されることとなる。
【００１９】
この場合、接続対象物の表面に異物が付着していたとしても、接続対象物の表面に付着した異物は、第１接触子の第１自由端部を摺動することで除去される。そして、接続対象物の表面において異物が除去された状態で、接続対象物の表面には第２接触子の第２自由端部が接触することとなる。
【００２０】
また、仮に、第１接触子の第１自由端部が接続対象物の表面に付着した異物の上に乗り上げたとしても、第２接触子の第２自由端部は異物のない接続対象物の表面に付着される。したがって、本発明では、端子と接続対象物との間で確実に導通接続を行うことができ、これにより、端子と接続対象物との間で導通不良を防ぐことができる。
【００２１】
請求項３に記載の本発明に係るコネクタは、請求項２に記載の本発明に係るコネクタにおいて、前記第１接触子は前記固定部の前方側から延出されたフロント接触子であると共に、前記第１自由端部は前記フロント接触子の自由端側に形成されたフロント接触部であり、前記第２接触子は前記固定部の後方側から延出されたリア接触子であると共に、前記第２自由端部は前記リア接触子の自由端側に形成され、かつ前記フロント接触部よりも前記基部側に配置されたリア接触部である。
【００２２】
請求項３に記載の本発明に係るコネクタでは、第１接触子は、固定部よりも前方側から延出されたフロント接触子であり、第２接触子は、固定部よりも後方側から延出されたリア接触子である。そして、フロント接触子の自由端側にはフロント接触部が形成されており、当該フロント接触部が接続対象物の表面に接触する。また、リア接触子の自由端側にはリア接触部が形成されており、当該リア接触部は、フロント接触部よりも基部側に配置され、接続対象物の表面に接触する。
【００２３】
前述のように、フロント接触子は基部における固定部よりも前方側から延出され、リア接触子は基部における固定部よりも後方側から延出されるように設定されている。例えば、フロント接触子の自由端側に形成されたフロント接触部とリア接触子の自由端側に形成されたリア接触部が、接続対象物の挿入方向に沿った同じ位置に配置されていると仮定する。この場合、リア接触子の延出長さ（根元から先端（リア接触部）までの長さ）は、フロント接触子の延出長さよりも長くなり、フロント接触子とリア接触子の板厚が略同じであった場合は、リア接触子はフロント接触子よりもばね定数が低くなってしまう。
【００２４】
このため、本発明では、フロント接触子よりも基部における後方側から延出されたリア接触子のリア接触部をフロント接触子のフロント接触部よりも基部側に配置している。これにより、基部に対して延出位置が異なることによって生じるフロント接触子とリア接触子の延出長さの偏りを抑えることができる。
【００２５】
すなわち、フロント接触子の延出長さとリア接触子の延出長さを略同じにすることで、フロント接触子とリア接触子の板厚が同じ場合、フロント接触子とリア接触子とでばね定数を略同じにすることができる。その結果、フロント接触子とリア接触子とで弾性力を略同じにして、フロント接触部とリア接触部とで接続対象物を押圧（弾性的に接触）する押圧力を略同じにすることができる。
【００２６】
請求項４に記載の本発明に係るコネクタは、請求項３に記載の本発明に係るコネクタにおいて、前記フロント接触部は、前記開口部内へ前記接続対象物が挿入される挿入方向に対して直交する前記基部の幅方向の一端から延出されると共に、前記リア接触子は、前記基部の幅方向の他端から延出されている。
【００２７】
請求項４に記載の本発明に係るコネクタでは、フロント接触部は、基部において、接続対象物がハウジングの開口部内へ挿入される挿入方向（以下、単に「接続対象物の挿入方向」という）に対して直交する当該基部の幅方向の一端から延出されている。一方、リア接触子は、基部の幅方向の他端から延出されている。
【００２８】
このため、端子を前方側から見たとき、基部とフロント接触子とリア接触子とで閉断面部を構成することが可能となる。これにより、端子において、当該閉断面部が構成されない場合と比較して、端子自体の剛性を向上させることができ、端子自体の変形を抑制することができる。
【００２９】
請求項５に記載の本発明に係るコネクタは、請求項４に記載のコネクタにおいて、前記リア接触子の根元側に形成され前記基部の幅方向の他端から前記基部に対して直交して延出されたリア連結部と、前記リア接触子において、前記リア連結部と直交しかつ前記基部と対向して配置されたリア支持部と、前記フロント接触子の根元側に形成され前記基部の幅方向の一端から前記基部に対して直交して延出され、かつ側面視で前記リア連結部の前端部と重なるフロント連結部と、前記フロント接触子において、前記フロント連結部と直交しかつ前記リア支持部と対向して配置されたフロント支持部と、を有している。
【００３０】
請求項５に記載の本発明に係るコネクタでは、リア接触子の根元側には、リア連結部が形成されている。このリア連結部は、基部の幅方向の他端から基部と直交して延出されている。また、リア接触子には、リア連結部と直交し、かつ基部と対向して配置されたリア支持部が形成されている。
【００３１】
一方、フロント接触子の根元側には、フロント連結部が形成されており、フロント連結部は、側面視でリア連結部の前端部と重なるように形成されている。また、フロント接触子には、フロント連結部と直交し、かつリア支持部と対向して配置されたフロント支持部が形成されている。
【００３２】
すなわち、本発明では、端子が、側面視でフロント連結部とリア連結部の前端部とが重なり、平面視で基部とリア支持部とフロント支持部とが重なるように形成されている。これにより、接続対象物の挿入方向に対して略直交する方向に沿って切断された端子の断面形状において、基部とフロント接触子とリア接触子とで閉断面部を構成することができる。これにより、端子自体の剛性を向上させることができ、端子自体の変形を抑制することができる。
【００３３】
なお、ここでの「基部に対して直交」における「直交」は、完全に直交する場合だけでなく、製造時のばらつき等も含め完全な直交に対して角度がずれた場合を含む意味であり、いわゆる「略直交」の意である。
【００３４】
請求項６に記載の本発明に係るコネクタは、請求項３〜請求項５の何れか１項に記載のコネクタにおいて、前記基部の前端から前記開口部側へ向かって延出され、前記フロント接触部及び前記リア接触部と共に前記接続対象物を挟持する伸長部が設けられている。
【００３５】
請求項６に記載の本発明に係るコネクタでは、基部の前端から開口部側へ向かって伸長部が延出されている。フロント接触子のフロント接触部及びリア接触子のリア接触部は、接続対象物に対して弾性的に接触するため、伸長部とフロント接触部及びリア接触部の間に接続対象物が挿入されると、当該接続対象物はこれらによって弾性的に挟持されることとなる。
【００３６】
請求項７に記載の本発明に係るコネクタは、請求項６に記載のコネクタにおいて、前記伸長部における前記フロント接触部が対向する第１対向部位から前記リア接触部が対向する第２対向部位に亘って平坦部が形成されている。
【００３７】
請求項７に記載の本発明に係るコネクタでは、伸長部において、フロント接触部が対向する第１対向部位からリア接触部が対向する第２対向部位に亘って、平坦部が形成されているため、伸長部とフロント接触部及びリア接触部とで接続対象物が挟持された状態で、接続対象物の表面には平坦部が接触することとなる。
【００３８】
これにより、接続対象物と端子との接触面積が増え、接続対象物が端子に挟持された状態において、接続対象物の回動移動等の移動を抑制することができる。このように、フロント接触部やリア接触部により接続対象物が押圧された状態において、接続対象物の移動を抑制することで、フロント接触部やリア接触部に対する摺動を防ぐことができる。これにより、フロント接触部やリア接触部の表面に施されたメッキが剥がれ導通状態が悪化することを抑制することができる。
【発明の効果】
【００３９】
以上説明したように、本発明に係るコネクタは、接続対象物に対し、当該接続対象物の挿入方向に沿って異なる複数の接点を有していても、各接点において、接続対象物に対する接触圧を維持することができる、という優れた効果を有する。
【図面の簡単な説明】
【００４０】
【図１】本実施形態に係るコネクタを左斜め前方かつ上方側から見た状態を示す斜視図である。
【図２】図１において、２−２線に沿って切断したときのコネクタを左斜め後方かつ上方側から見た状態で一部が拡大された拡大斜視図である。
【図３】本実施形態に係るコネクタに接続ピンを接続させる前の状態を示す図１に対応する斜視図である。
【図４】本実施形態に係るコネクタに接続ピンを接続させた状態を示す図１に対応する斜視図である。
【図５】図４において、５−５線に沿って切断したときのコネクタを示す断面図である。
【図６】本実施形態に係るコネクタの端子を左斜め前方かつ上方側から見た状態を示す斜視図である。
【図７】本実施形態に係るコネクタの端子を右斜め前方かつ上方側から見た状態を示す斜視図である。
【図８】本実施形態に係るコネクタの端子を後方側から見た状態を示す背面図である。
【図９】（Ａ）は、本実施形態に係るコネクタの端子に接続ピンを接続させる前の状態を示す左側面図であり、（Ｂ）は、本実施形態に係るコネクタの端子に接続ピンを接続させた状態を示す左側面図である。
【図１０】（Ａ）は、本実施形態に係るコネクタの端子に接続ピンを接続させる前の状態を示す右側面図であり、（Ｂ）は、本実施形態に係るコネクタの端子に接続ピンを接続させた状態を示す右側面図である。
【図１１】本実施形態に係るコネクタの端子の変形例について、左斜め前方かつ上方側から見た状態を示す斜視図である。
【図１２】本実施形態に係るコネクタの端子の変形例について、右斜め前方かつ上方側から見た状態を示す斜視図である。
【図１３】本実施形態に係るコネクタの端子の変形例について、後方側から見た状態を示す背面図である。
【発明を実施するための形態】
【００４１】
本発明の一実施形態に係るコネクタについて図面に基づいて説明する。なお、各図に適宜記す矢印ＦＲ、矢印ＵＰ、矢印ＲＨは、便宜上、本発明の一実施形態に係るコネクタの前方向、上方向、右側を示している。
【００４２】
（コネクタの構成）
まず、本実施形態に係るコネクタの構成について説明する。
【００４３】
図１には、コネクタ１０を前方かつ斜め上方側から見た斜視図が示されている。なお、図２は、図１において２−２線に沿って切断したときのコネクタ１０を後方かつ斜め上方側から見た状態で一部が拡大された拡大斜視図が示されている。
【００４４】
図１に示されるコネクタ１０は、例えば、樹脂で形成されたハウジング１２と、金属で形成された導電性の端子１４と、を含んで構成されている。なお、図１において、端子１４を分かりやすく図示するため、ハウジング１２を仮想線で示している。後述する図３及び図４において、図１と同様にハウジング１２を仮想線で示している。
【００４５】
図１に示されるように、例えば、ハウジング１２は直方体状を成しており、図２に示されるように、ハウジング１２の長手方向に対して略直交する幅方向に沿って、略直方体状の収容部１３が貫通している。この収容部１３は、ハウジング１２の長手方向に沿って複数（ここでは５つ）配列されており、収容部１３内には、端子１４がそれぞれ収容されている。なお、図２では、説明の都合上、３つの端子１４の図示を省略している。また、本実施形態では、ハウジング１２は直方体状を成しているが、これに限るものではない。
【００４６】
詳細については後述するが、端子１４は、コネクタ１０が搭載される基板（図示省略）に電気的に接続可能とされており、基板に搭載された状態で、図３及び図４に示されるように、導電性の接続ピン（接続対象物）１５が接続可能とされている。接続ピン１５は、略角柱状を成しており、接続ピン１５の先端部１５Ａは先細りとなる略角錐台状に形成され、ハウジング１２に形成された開口部２０内に挿入（又は抜去）しやすくなるように形成されている。なお、ここでは、接続ピン１５は略角柱状を成しているが、これに限るものではなく、図示はしないが、略円柱状を成していてもよい。
【００４７】
一方、ハウジング１２の開口部２０は略角錐台状に形成されており、開口部２０の奥側に収容部１３と連通する連通口２０Ａが形成されている。つまり、開口部２０は、連通口２０Ａへ向かうにつれて開口面積が狭くなるように形成されており、開口部２０内へ挿入された接続ピン１５を連通口２０Ａ内へガイドするようになっている。
【００４８】
ここで、端子１４について説明する。
端子１４は、例えば、略直方体状を成しており、折曲加工により１枚の金属板を折曲させて形成されている。一般に、折曲部において略直角に折り曲げた場合、当該折曲部では応力が集中する可能性が高くなる。このため、折曲部ではＲ状に折り曲げられており、応力が集中しないようにしている。
【００４９】
図６に示されるように、端子１４の上部１４Ａには、端子１４の長手方向の後部側に略矩形状の基部１６が設けられている。基部１６の長手方向の中央部１６Ａには、基部１６の長手方向に対して略直交する幅方向の両端部に固定部１８がそれぞれ設けられており、この固定部１８を介して端子１４が、図２に示されるように、ハウジング１２に設けられた収容部１３内に固定されるようになっている。
【００５０】
具体的に説明すると、各固定部１８には、基部１６の長手方向に沿って一対の爪部１８Ａがそれぞれ設けられている。この爪部１８Ａは、基部１６の幅方向の両端部から水平方向に沿って張り出しており、ハウジング１２の収容部１３内の側壁１３Ａに形成された溝壁２２に食い込み可能とされている。当該爪部１８Ａが収容部１３内の溝壁２２に食い込むことで、端子１４がハウジング１２に固定される。なお、端子１４をハウジング１２に固定させることができればよいため、これに限るものではない。
【００５１】
また、図６及び図７に示されるように、基部１６からは端子１４の前方側へ向かって板状の伸長片（伸長部）２４が張り出している。伸長片２４には、側方から見て基部１６の面一よりも一段下がった位置で略水平となるように平坦部２６が形成されており、連通口２０Ａを通じて平坦部２６が目視可能となっている。そして、これにより、平坦部２６には接続ピン１５の表面１５Ｂが確実に接触可能とされる（図５参照）。
【００５２】
なお、伸長片２４の自由端部２４Ａは、基部１６に対して略面一の状態となるように形成されている。このため、図５に示されるように、端子１４がハウジング１２の収容部１３内に固定された状態で、平坦部２６とハウジング１２の天井部１２Ａとの間には、空間部２７が設けられる。
【００５３】
さらに、図６及び図７に示されるように、基部１６の固定部１８よりも前方側に位置する基部１６の前部１６Ｂには、基部１６の左端部（幅方向の一端）１６Ｃからフロント接触子（第１接触子）２８が延出しており、基部１６の固定部１８よりも後方側に位置する基部１６の後部１６Ｄには、基部１６の右端部（幅方向の他端）１６Ｅからリア接触子（第２接触子）３０が延出している。
【００５４】
リア接触子３０は、リア連結片（リア連結部）３２と、リア支持片（リア支持部）３４と、リア接触片３６と、を含んで構成されている。リア連結片３２は、リア接触子３０の根元側に形成されており、基部１６の右端部１６Ｅから基部１６に対して略直交した状態で垂下（延出）されている。
【００５５】
リア連結片３２は、図７に示されるように、右側方から見ると略Ｌ字状を成しており、リア連結片３２の下端にはリア支持片３４が連設されている。リア支持片３４は、リア連結片３２に対して略直交した状態で端子１４の前方側からみて、リア連結片３２との間で略Ｌ字状を成し、基部１６及び伸長片２４と対向して配置されている。
【００５６】
また、リア支持片３４の前端からは、リア接触片３６が斜め上方側へ向かって延出されている。リア接触片３６は、側方から見ると略逆Ｖ字状を成しており、リア支持片３４の前端から延出され、リア接触片３６の自由端側に向かうにつれて伸長片２４側へ近接する方向へ傾斜し、リア接触片３６の頂部（以下、「リア接触部」という）３８に接続ピン１５の表面１５Ｂが接触可能とされている（図９（Ｂ）参照）。そして、リア接触片３６は、リア接触部３８を越えると、リア接触片３６の自由端に向かうにつれて伸長片２４から離間する方向へ傾斜する（離間部３９）。
【００５７】
一方、図６及び図７に示されるように、フロント接触子２８は、フロント連結片（フロント連結部）４２と、フロント支持片（フロント支持部）４４と、フロント接触片４６と、を含んで構成されている。フロント連結片４２は、フロント接触子２８の根元側に形成されており、基部１６の左端部１６Ｃから基部１６に対して略直交した状態で垂下（延出）されている。
【００５８】
フロント連結片４２は、図６に示されるように、左側方から見ると略三角形状を成している。このフロント連結片４２の後端４２Ａは、上下方向に沿って垂下されているが、フロント連結片４２の前端４２Ｂは下方側へ向かうにつれて前方側へ向かって傾斜している。つまり、フロント連結片４２は、左側方から見ると根元側（基部１６側）から先端側（フロント支持片４４側）へ向かうにつれて幅広となっている。なお、図１０（Ａ）に示されるように、側面視でフロント連結片４２の後部４２Ｃとリア連結片３２の前部３２Ａは、重なるように設定されている。
【００５９】
また、図６に示されるように、フロント連結片４２の下端には、フロント支持片４４が連設されている。フロント支持片４４は、フロント連結片４２に対して略直交した状態で端子１４の後方側からみて、フロント連結片４２との間で略Ｌ字状を成して形成されている。そして、フロント支持片４４は、リア支持片３４の前端側の一部、リア接触片３６及び伸長片２４が対向して配置されている。つまり、フロント支持片４４はリア支持片３４の下方側に配置されることとなる（図８参照）。
【００６０】
さらに、フロント支持片４４の前端からは、フロント接触片４６が斜め上方側へ向かって延出されている。フロント接触片４６は、側方から見ると略逆Ｖ字状を成しており、フロント支持片４４の前端から延出され、フロント接触片４６の自由端側に向かうにつれて伸長片２４側へ近接する方向へ傾斜し、フロント接触片４６の頂部（以下、「フロント接触部」という）４８に接続ピン１５の表面１５Ｂが接触可能とされている（図９（Ｂ）参照）。そして、フロント接触片４６は、フロント接触部４８を越えると、フロント接触片４６の自由端に向かうにつれて伸長片２４から離間する方向へ傾斜する（離間部４９）。
【００６１】
ここで、図７及び図１０（Ａ）に示されるように、フロント支持片４４の前端は、リア支持片３４の前端よりも前方側に位置しており、フロント接触部４８はリア接触部３８の前方側に配置されている。つまり、フロント接触部４８とリア接触部３８とは接続ピン１５の挿入方向（矢印Ａ方向）に沿って前後に配置されている。
【００６２】
また、フロント接触部４８及びリア接触部３８は、伸長片２４の平坦部２６とそれぞれ対向して配置されており、フロント接触片４６とリア接触片３６とは、略同じ長さとなるように設定されている。そして、伸長片２４とフロント接触片４６及びリア接触片３６とで構成される端子１４の挿入部５０内に接続ピン１５が挿入されると、伸長片２４の平坦部２６とフロント接触部４８及びリア接触部３８との間で接続ピン１５が挟持可能とされる。
【００６３】
このため、端子１４の挿入部５０において、伸長片２４の平坦部２６とフロント接触部４８及びリア接触部３８との間の隙間ｔは、接続ピン１５の高さ方向の寸法Ｈよりも小さくなるように設定される（ｔ＜Ｈ）。これにより、端子１４の挿入部５０内へ接続ピン１５を挿入すると、図１０（Ｂ）に示されるように、伸長片２４、フロント接触子２８及びリア接触子３０は弾性変形し、接続ピン１５は、少なくともフロント接触片４６とリア接触片３６による付勢力によって押圧された状態で弾性的に挟持される。
【００６４】
つまり、本実施形態では、接続ピン１５の挿入方向に沿って異なる複数の接点（フロント接触部４８及びリア接触部３８）を有しており、接続ピン１５は、伸長片２４とフロント接触部４８及びリア接触部３８によって挟持される。なお、伸長片２４の自由端部２４Ａと、フロント接触片４６の自由端部に形成された離間部３９及びリア接触片３６の自由端部に形成された離間部４９とは、隙間ｔよりも大きくなるように設定されており、端子１４の挿入部５０内に接続ピン１５が挿入しやすくなっている。
【００６５】
（コネクタの作用及び効果）
次に、本実施形態に係るコネクタの作用及び効果について説明する。
【００６６】
図３及び図６に示されるように、本実施形態では、コネクタ１０の一部を構成する端子１４において、端子１４の基部１６に、伸長片２４、フロント接触子２８及びリア接触子３０が形成されると共に、伸長片２４とフロント接触子２８及びリア接触子３０とで接続ピン１５を弾性的に挟持するようにしている（図９（Ｂ）参照）。
【００６７】
そして、図６及び図７に示されるように、フロント接触子２８は、基部１６の固定部１８よりも前方側から延出され、リア接触子３０は、基部１６の固定部１８よりも後方側から延出されるように設定されている。つまり、固定部１８を間に置いて、基部１６の前部１６Ｂにはフロント接触子２８が設けられ、基部１６の後部１６Ｄにはリア接触子３０が設けられている。
【００６８】
ここで、基部１６の固定部１８は、ハウジング１２に固定されているため（図２参照）、フロント接触子２８及びリア接触子３０は、基部１６に対してそれぞれ独立した状態で延出されている。すなわち、フロント接触子２８とリア接触子３０とは固定部１８を介して分断されており、フロント接触子２８が弾性変形しても、このフロント接触子２８の変形がリア接触子３０に及ばないようにすることができる。
【００６９】
言い換えると、本実施形態では、フロント接触子２８、リア接触子３０を変形させる応力の伝達が固定部１８によって遮断され、フロント接触子２８、リア接触子３０はそれぞれ独立した状態で弾性変形する。したがって、フロント接触子２８の弾性変形に追従してリア接触子３０が弾性変形することを抑制し、また、リア接触子３０の弾性変形に追従してフロント接触子２８が弾性変形することを抑制することができる。
【００７０】
その結果、図９（Ｂ）に示されるように、端子１４のフロント接触子２８、リア接触子３０は、接続ピン１５に接触した状態で接続ピン１５に対してそれぞれ所望の接触圧を維持することができ、端子１４と接続ピン１５との間で安定した導通接続を行うことができる。
【００７１】
すなわち、本実施形態におけるコネクタ１０は、接続ピン１５に対し、当該接続ピン１５の挿入方向に沿って異なる複数の接点（フロント接触部４８及びリア接触部３８）を有していても、各接点において、接続ピン１５に対する接触圧を維持することができる。
【００７２】
また、本実施形態では、図９（Ａ）に示されるように、フロント接触部４８とリア接触部３８とは、接続ピン１５の挿入方向（矢印Ａ方向）に沿って前後に配置されている。このため、例えば、接続ピン１５を端子１４の挿入部５０内へ挿入させると、接続ピン１５は、まず、フロント接触子２８の自由端側に設けられたフロント接触部４８に接触する。そして、次に、接続ピン１５は、リア接触子３０の自由端側に設けられたリア接触部３８に接触する。
【００７３】
ここで、図９（Ｂ）に示されるように、接続ピン１５は、伸長片２４とフロント接触子２８のフロント接触部４８及びリア接触子３０のリア接触部３８とで弾性的に挟持されるようになっている。このため、伸長片２４とフロント接触子２８及びリア接触子３０との間に接続ピン１５が挿入されると、接続ピン１５の表面１５Ｂは、少なくともフロント接触部４８及びリア接触部３８によって摺動されることとなる。
【００７４】
これにより、図示はしないが、接続ピン１５の表面１５Ｂに異物が付着していたとしても、接続ピン１５の表面１５Ｂに付着した異物は、フロント接触部４８を摺動することで除去される。そして、接続ピン１５の表面１５Ｂにおいて異物が除去された状態で、接続ピン１５の表面１５Ｂにはリア接触部３８が接触することとなる。したがって、本実施形態では、コネクタ１０と接続ピン１５との間で確実に導通接続を行うことができる。
【００７５】
また、仮に、端子１４のフロント接触部４８が接続ピン１５の表面１５Ｂに付着した異物の上に乗り上げたとしても、リア接触部３８は異物のない接続ピン１５の表面１５Ｂに接触する。つまり、本実施形態では、端子１４（コネクタ１０）と接続ピン１５との間で確実に導通接続を行うことができる。換言すると、本実施形態では、端子１４（コネクタ１０）と接続ピン１５との間で導通不良を防ぐことができる。
【００７６】
一方、図６及び図７に示されるように、本実施形態では、前述のように、フロント接触子２８は基部１６の前部１６Ｂから延出され、リア接触子３０は、固定部１８を間に置いて、基部１６の後部１６Ｄから延出されるように設定されている。そして、フロント接触子２８のフロント接触部４８とリア接触子３０のリア接触部３８は、それぞれ基部１６よりも前方側に位置している。
【００７７】
例えば、図示はしないが、フロント接触部４８とリア接触子３０が接続ピン１５の挿入方向の同じ位置に配置されていると仮定する。この場合、リア接触子３０の延出長さ（根元から先端までの長さ）は、フロント接触子２８の延出長さよりも長くなる。本実施形態における端子１４は１枚の金属製の板材で形成されているため、フロント接触片４６とリア接触片３６の板厚は略均一である。このため、リア接触子３０はフロント接触子２８よりもばね定数が低くなってしまう。
【００７８】
したがって、本実施形態では、フロント接触子２８よりも基部１６の後部１６Ｄから延出されたリア接触子３０のリア接触部３８をフロント接触子２８のフロント接触部４８よりも基部１６側に配置している。これにより、基部１６に対して延出位置が異なることによって生じるフロント接触子２８とリア接触子３０の延出長さの偏りを抑えることができる。
【００７９】
そして、フロント接触子２８の延出長さとリア接触子３０の延出長さを略同じにすることで、フロント接触子２８とリア接触子３０の板厚が同じ場合、フロント接触子２８とリア接触子３０とでばね定数を略同じにすることができる。その結果、フロント接触子２８とリア接触子３０とで弾性力を略同じにして、フロント接触部４８とリア接触部３８とで接続ピン１５を押圧（弾性的に接触）する押圧力を略同じにすることができる。
【００８０】
ところで、本実施形態では、前述のように、リア接触子３０では、リア連結片３２が基部１６に対して垂下され、リア連結片３２の下端からは、リア連結片３２と略直交しかつ基部１６及び伸長片２４と対向するリア支持片３４が延出されている。一方、フロント接触子２８では、フロント連結片４２が基部１６に対して垂下され、フロント連結片４２の下端からは、フロント連結片４２と略直交しかつリア支持片３４及び伸長片２４と対向するフロント支持片４４が延出されている。そして、図１０（Ａ）に示されるように、フロント連結片４２の後部４２Ｃとリア連結片３２の前部３２Ａは、側方から見て重なるように設定されている。
【００８１】
すなわち、本実施形態では、図１０（Ａ）に示されるように、端子１４は、側面視でフロント連結片４２の後部４２Ｃとリア連結片３２の前部３２Ａと重なり、かつ図６及び図７に示されるように、上方側から見ると基部１６とリア支持片３４とフロント支持片４４とが重なるように形成されている。
【００８２】
これにより、接続ピン１５の挿入方向（図９（Ａ）で示す矢印Ａ方向）に対して略直交する方向に沿って切断された端子１４の断面形状において、基部１６とフロント接触子２８とリア接触子３０とで閉断面部５２（図８参照）を構成することができる。これにより、端子１４自体の剛性を向上させることができ、端子１４自体の変形を抑制することができる。
【００８３】
また、本実施形態では、図９（Ａ）に示されるように、伸長片２４において、フロント接触部４８が対向する対向部位（第１対向部位）Ｐからリア接触部３８が対向する対向部位（第２対向部位）Ｑに亘って、平坦部２６が形成されている。このため、図９（Ｂ）に示されるように、伸長片２４とフロント接触部４８及びリア接触部３８とで接続ピン１５が挟持された状態で、接続ピン１５の表面１５Ｂには平坦部２６が接触することとなる。
【００８４】
これにより、接続ピン１５と端子１４（具体的には、伸長片２４とフロント接触部４８及びリア接触部３８）との接触面積が増え、接続ピン１５が端子１４に挟持された状態において、接続ピン１５の回動移動等の移動を抑制することができる。
【００８５】
このように、フロント接触部４８やリア接触部３８により接続ピン１５が押圧された状態において、接続ピン１５の移動を抑制することで、フロント接触部４８やリア接触部３８に対する摺動を防ぐことができる。これにより、フロント接触部４８やリア接触部３８の表面に施されたメッキが剥がれ導通状態が悪化することを抑制することができる。
【００８６】
さらに、本実施形態では、図１０（Ａ）に示されるように、フロント接触片４６は、フロント支持片４４の前端から延出され、フロント接触部４８を頂部とし、リア接触片３６は、リア支持片３４の前端から延出され、リア接触部３８を頂部としてそれぞれ形成されている。
【００８７】
そして、フロント接触片４６とリア接触片３６とは、略同じ長さとなるように設定されている。前述のように、本実施形態における端子１４は１枚の金属製の板材で形成されているため、フロント接触片４６とリア接触片３６の板厚は略均一である。したがって、フロント接触片４６とリア接触片３６のばね定数は略同じであり、フロント接触片４６とリア接触片３６とで、接続ピン１５が接触した状態で付勢力を略同じにすることができる。すなわち、フロント接触部４８とリア接触部３８とは、伸長片２４との間で略同じ挟持力で接続ピン１５を挟持することができる。
【００８８】
（本実施形態の補足）
本実施形態では、固定部よりも前方側から延出される第１接触子がフロント接触子２８であり、固定部よりも前方側から延出される第２接触子はリア接触子３０であるが、第１接触子がリア接触子３０であり、第２接触子がフロント接触子２８であってもよい。
【００８９】
また、本実施形態では、１枚の金属板を折曲させて端子１４が形成されているが、複数の金属板、或いは他の部材を含んで端子が形成されてもよい。これにより、端子１４の板厚を部分的に厚くするなどして、端子１４の剛性を効果的に向上させるようにしてもよい。また、端子１４の形成方法においては、折曲加工に限るものではなく、電気鋳造、射出成形、ダイキャスト、切削加工等、他の形成方法により形成されてもよいのは勿論のことである。
【００９０】
さらに、本実施形態では、フロント接触部４８とリア接触部３８とは接続ピン１５の挿入方向（矢印Ａ方向）に沿って前後、つまり、同一直線上に配置されているが、必ずしも同一直線上に配置されなくてもよい。
【００９１】
さらにまた、本実施形態では、図１０（Ａ）に示されるように、端子１４が、側面視でフロント連結片４２の後部４２Ｃとリア連結片３２の前部３２Ａと重なり、かつ図６及び図７に示されるように、上方側から見ると基部１６とリア支持片３４とフロント支持片４４とが重なるように形成されている。そして、これにより、本実施形態では、端子１４自体の剛性を向上させているが、端子１４の剛性を向上させることができればよいため、これに限るものでない。例えば、リア支持片３４及びフロント支持片４４の板厚を厚くするなどしてもよい。
【００９２】
また、本実施形態では、図６及び図７に示されるように、端子１４は、基部１６の固定部１８よりも前方側において、基部１６の左端部１６Ｃからフロント接触子２８が延出し、基部１６の固定部１８よりも後方側において、基部１６の右端部１６Ｅからリア接触子３０が延出している。
【００９３】
つまり、本実施形態では、端子１４は、基部１６の前部１６Ｂにおいて、幅方向の一端（左端部１６Ｃ）からフロント接触子２８が延出し、基部１６の後部１６Ｄにおいて、基部１６の幅方向の他端（右端部１６Ｅ）からリア接触子３０が延出しているが、これに限るものではない。例えば、基部１６の幅方向の一端からフロント接触子２８及びリア接触子３０が延出されてもよい。
【００９４】
具体的に説明すると、例えば、図１１〜図１３に示されるように、端子５４の基部５６の前部５６Ａにおいて、右端部（幅方向の一端）５６Ｂからフロント接触子（第１接触子）５８が延出しており、基部５６の後部５６Ｃにおいて、フロント接触子５８と同様に、右端部５６Ｂからリア接触子（第２接触子）６０が延出してもよい。
【００９５】
また、本実施形態では、図５に示されるように、接続ピン１５が挿入されると、伸長片２４とフロント接触部４８及びリア接触部３８との間で接続ピン１５が挟持されるようになっているが、伸長片２４は必ずしも必要ではない。但し、この場合、ハウジング１２の天井部１２Ａが開口部２０の連通口２０Ａと繋がるように形成される。これにより、接続ピン１５は、ハウジング１２の天井部１２Ａとフロント接触部４８及びリア接触部３８とで挟持されることとなる。
【００９６】
さらに、本実施形態では、図９（Ａ）に示されるように、伸長片２４において、フロント接触部４８が対向する対向部位Ｐからリア接触部３８が対向する対向部位Ｑに亘って、平坦部２６が形成されている。これにより、接続ピン１５が端子１４に挟持された状態において、接続ピン１５の回動移動等の移動を抑制することができるが、必ずしも対向部位Ｐから対向部位Ｑに亘って平坦部２６が形成されていなくてもよい。また、平坦部２６は、側方から見て基部１６の面一よりも一段下がった位置で略水平となるように形成されているが、基部１６と面一の状態で形成されてもよい。
【００９７】
以上、本発明の一実施形態について説明したが、本発明は、上記に限定されるものでなく、上記以外にも、その主旨を逸脱しない範囲内において種々変形して実施可能であることは勿論のことである。
【符号の説明】
【００９８】
１０    コネクタ
１２    ハウジング
１３    収容部
１４    端子
１５    接続ピン（接続対象物）
１６    基部
１６Ｂ  前部（固定部よりも前方側）
１６Ｃ  左端部（基部の幅方向の一端）
１６Ｄ  後部（固定部よりも後方側）
１６Ｅ  右端部（基部の幅方向の他端）
１８    固定部
２０    開口部
２４    伸長片（伸長部）
２６    平坦部
２８    フロント接触子（第１接触子）
３０    リア接触子（第２接触子）
３２    リア連結片（リア連結部）
３４    リア支持片（リア支持部）
３８    リア接触部（第２自由端部）
４２    フロント連結片（フロント連結部）
４４    フロント支持片（フロント支持部）
４８    フロント接触部（第１自由端部）
５４    端子
５６    基部
５６Ａ  前部（固定部よりも前方側）
５６Ｂ  右端部（基部の幅方向の一端）
５６Ｃ  後部（固定部よりも後方側）
５８    フロント接触子（第１接触子）
６０    リア接触子（第２接触子）
Ｐ             対向部位（第１対向部位）
Ｑ             対向部位（第２対向部位）
【図１】
2018181615.tif 000003
【図２】
2018181615.tif 000004
【図３】
2018181615.tif 000005
【図４】
2018181615.tif 000006
【図５】
2018181615.tif 000007
【図６】
2018181615.tif 000008
【図７】
2018181615.tif 000009
【図８】
2018181615.tif 000010
【図９】
2018181615.tif 000011
【図１０】
2018181615.tif 000012
【図１１】
2018181615.tif 000013
【図１２】
2018181615.tif 000014
【図１３】
2018181615.tif 000015
【手続補正書】
【提出日】平成30年3月27日(2018.3.27)
【手続補正１】
【補正対象書類名】明細書
【補正対象項目名】００１０
【補正方法】変更
【補正の内容】
【００１０】
請求項１に記載の本発明に係るコネクタは、ハウジングと、前記ハウジングに形成された収容部内に固定され、前記ハウジングに形成された開口部を通じて導電性の材料で構成された接続対象物が挿入又は抜去されると共に導電性の材料で構成された端子と、を備え、前記端子は、前記収容部に固定される固定部が形成された基部と、前記基部において前記開口部側を前部とし、前記基部において前記固定部よりも前方側から延出され、前記接続対象物に対して弾性的に接触する第１接触子と、前記基部において前記固定部よりも後方側から延出され、前記接続対象物に対して弾性的に接触する第２接触子と、を備え、前記第１接触子は、前記開口部内へ前記接続対象物が挿入される挿入方向に対して直交する前記基部の幅方向の一端から延出されると共に、前記第２接触子は、前記基部の幅方向の他端から延出されている。
【手続補正２】
【補正対象書類名】明細書
【補正対象項目名】００１５
【補正方法】変更
【補正の内容】
【００１５】
つまり、第１接触子、第２接触子を変形させる応力の伝達が固定部によって遮断され、第１接触子、第２接触子はそれぞれ独立した状態で弾性変形する。したがって、第１接触子の弾性変形の影響を受けて第２接触子が弾性変形することを抑制し、第２接触子の弾性変形の影響を受けて第１接触子が弾性変形することを抑制することができる。その結果、第１接触子、第２接触子は、接続対象物に接触した状態で接続対象物に対してそれぞれ所望の接触圧を維持することができ、コネクタと接続対象物との間で安定した導通接続を行うことができる。
また、本発明では、第１接触子は、基部において、接続対象物がハウジングの開口部内へ挿入される挿入方向（以下、単に「接続対象物の挿入方向」という）に対して直交する当該基部の幅方向の一端から延出されている。一方、第２接触子は、基部の幅方向の他端から延出されている。
このため、端子を前方側から見たとき、基部とフロント接触子とリア接触子とで閉断面部を構成することが可能となる。これにより、端子において、当該閉断面部が構成されない場合と比較して、端子自体の剛性を向上させることができ、端子自体の変形を抑制することができる。
【手続補正３】
【補正対象書類名】明細書
【補正対象項目名】００２６
【補正方法】削除
【補正の内容】
【手続補正４】
【補正対象書類名】明細書
【補正対象項目名】００２７
【補正方法】削除
【補正の内容】
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】変更
【補正の内容】
【００２９】
請求項４に記載の本発明に係るコネクタは、請求項３に記載のコネクタにおいて、前記リア接触子の根元側に形成され前記基部の幅方向の他端から前記基部に対して直交して延出されたリア連結部と、前記リア接触子において、前記リア連結部と直交しかつ前記基部と対向して配置されたリア支持部と、前記フロント接触子の根元側に形成され前記基部の幅方向の一端から前記基部に対して直交して延出され、かつ側面視で前記リア連結部の前端部と重なるフロント連結部と、前記フロント接触子において、前記フロント連結部と直交しかつ前記リア支持部と対向して配置されたフロント支持部と、を有している。
【手続補正７】
【補正対象書類名】明細書
【補正対象項目名】００３０
【補正方法】変更
【補正の内容】
【００３０】
請求項４に記載の本発明に係るコネクタでは、リア接触子の根元側には、リア連結部が形成されている。このリア連結部は、基部の幅方向の他端から基部と直交して延出されている。また、リア接触子には、リア連結部と直交し、かつ基部と対向して配置されたリア支持部が形成されている。
【手続補正８】
【補正対象書類名】明細書
【補正対象項目名】００３４
【補正方法】変更
【補正の内容】
【００３４】
請求項５に記載の本発明に係るコネクタは、請求項３又は請求項４に記載のコネクタにおいて、前記基部の前端から前記開口部側へ向かって延出され、前記フロント接触部及び前記リア接触部と共に前記接続対象物を挟持する伸長部が設けられている。
【手続補正９】
【補正対象書類名】明細書
【補正対象項目名】００３５
【補正方法】変更
【補正の内容】
【００３５】
請求項５に記載の本発明に係るコネクタでは、基部の前端から開口部側へ向かって伸長部が延出されている。フロント接触子のフロント接触部及びリア接触子のリア接触部は、接続対象物に対して弾性的に接触するため、伸長部とフロント接触部及びリア接触部の間に接続対象物が挿入されると、当該接続対象物はこれらによって弾性的に挟持されることとなる。
【手続補正１０】
【補正対象書類名】明細書
【補正対象項目名】００３６
【補正方法】変更
【補正の内容】
【００３６】
請求項６に記載の本発明に係るコネクタは、請求項５に記載のコネクタにおいて、前記伸長部における前記フロント接触部が対向する第１対向部位から前記リア接触部が対向する第２対向部位に亘って平坦部が形成されている。
【手続補正１１】
【補正対象書類名】明細書
【補正対象項目名】００３７
【補正方法】変更
【補正の内容】
【００３７】
請求項６に記載の本発明に係るコネクタでは、伸長部において、フロント接触部が対向する第１対向部位からリア接触部が対向する第２対向部位に亘って、平坦部が形成されているため、伸長部とフロント接触部及びリア接触部とで接続対象物が挟持された状態で、接続対象物の表面には平坦部が接触することとなる。
【手続補正１２】
【補正対象書類名】特許請求の範囲
【補正対象項目名】全文
【補正方法】変更
【補正の内容】
【特許請求の範囲】
【請求項１】
ハウジングと、前記ハウジングに形成された収容部内に固定され、前記ハウジングに形成された開口部を通じて導電性の材料で構成された接続対象物が挿入又は抜去されると共に導電性の材料で構成された端子と、を備え、
前記端子は、
前記収容部に固定される固定部が形成された基部と、
前記基部において前記開口部側を前部とし、前記基部において前記固定部よりも前方側から延出され、前記接続対象物に対して弾性的に接触する第１接触子と、
前記基部において前記固定部よりも後方側から延出され、前記接続対象物に対して弾性的に接触する第２接触子と、
を備え、
前記第１接触子は、前記開口部内へ前記接続対象物が挿入される挿入方向に対して直交する前記基部の幅方向の一端から延出されると共に、前記第２接触子は、前記基部の幅方向の他端から延出されているコネクタ。
【請求項２】
前記第１接触子の自由端側に形成された第１自由端部と前記第２接触子の自由端側に形成された第２自由端部は、前記接続対象物の挿入方向に沿って前後に配置され、前記接続対象物の表面にそれぞれ接触可能とされる請求項１に記載のコネクタ。
【請求項３】
前記第１接触子は前記固定部の前方側から延出されたフロント接触子であると共に、前記第１自由端部は前記フロント接触子の自由端側に形成されたフロント接触部であり、
前記第２接触子は前記固定部の後方側から延出されたリア接触子であると共に、前記第２自由端部は前記リア接触子の自由端側に形成され、かつ前記フロント接触部よりも前記基部側に配置されたリア接触部である請求項２に記載のコネクタ。
【請求項４】
前記リア接触子の根元側に形成され、前記基部の幅方向の他端から前記基部に対して直交して延出されたリア連結部と、
前記リア接触子において、前記リア連結部と直交し、かつ前記基部と対向して配置されたリア支持部と、
前記フロント接触子の根元側に形成され、前記基部の幅方向の一端から前記基部に対して直交して延出され、かつ側面視で前記リア連結部の前端部と重なるフロント連結部と、
前記フロント接触子において、前記フロント連結部と直交し、かつ前記リア支持部と対向して配置されたフロント支持部と、
を有する請求項３に記載のコネクタ。
【請求項５】
前記基部の前端から前記開口部側へ向かって延出され、前記フロント接触部及び前記リア接触部と共に前記接続対象物を挟持する伸長部が設けられている請求項３又は請求項４に記載のコネクタ。
【請求項６】
前記伸長部における前記フロント接触部が対向する第１対向部位から前記リア接触部が対向する第２対向部位に亘って平坦部が形成されている請求項５に記載のコネクタ。